(57)【要約】      （修正有）【課題】カメラを立設或いは保持して使いやすいように、スタンドとグリップとをカメラ台に設けた、カメラ立設用スタンドを提供する。【解決手段】カメラの底部に取り付けられるカメラ台２と、旋回可能なスタンド１と、カメラ台２の一端に取り付けられた筒型グリップ３とからなり、カメラ台２はスタンド１と共に、カメラネジ４によりカメラの三脚穴に軸支される。スタンド１は、撮影時にはカメラの底部より外側に旋回されてカメラを立設し、収納時には先端側に設けた凸部１２をカメラ台２の長穴１３に挟着され、表面には滑り止め１６が取り付けられている。【選択図】図２
2014142569.tif 000002
【特許請求の範囲】
【請求項１】
カメラ（９）の底部に、一体的に取り付けられるカメラ台（２）と同軸的に設けられる旋回可能なスタンド（１）よりなり、前記カメラ台（２）の底部に配置されるスタンド（１）とともにカメラネジ（４）により、カメラ（９）の三脚穴（１０）に軸支され、前記スタンド（１）は、その撮影時には旋回してカメラ（９）の底部より外側に旋回されてカメラ（９）を立設し、その収納時には、先端側に設けた凸部（１２）をカメラ台（２）の長穴（１３）に挟着して装置される。また、表面には、滑り止め（１６）を取り付けたことを特徴とするカメラ立設用スタンド。
【請求項２】
前記カメラ台（２）は、その一端に筒型グリップ（３）を取り付けることを特徴とする請求項１記載のカメラ立設用スタンド。
【発明の詳細な説明】
【技術分野】
【０００１】    この発明は、カメラ台の底部に多機能なスタンドをつけたカメラ立設用スタンドに関するものである。
【背景技術】
【０００２】従来、カメラと三脚は別々になっていて、カメラの使用時には三脚を取り付けなければならなかった（例えば、特許文献１参照）。
三脚をたたんで、三脚の足の部分を持っての撮影は手ブレやボタン操作がやりにくかた（例えば、特許文献２参照）。
三脚の底部に指あての滑り止め及び緩衝材がないので、長時間の保持には指が痛かった（特許文献３、４参照）。
【先行技術文献】
【特許文献】
【０００３】
【特許文献１】特開平１１−２４８０９０
【特許文献２】特開２０１０−２８２３０
【特許文献３】実全昭５４−０３９０４４
【特許文献４】特開２００２−１３９７９０
【発明の概要】
【発明が解決しようとする課題】
【０００４】  従来、カメラと三脚を別々に持参したり着脱の手間がかかった。また、コンパクトでないので携帯しにくかった。
カメラグリップと三脚が別々であったり、カメラグリップの配置場所がカメラのシャターボタンや操作ボタンから離た位置のため操作しにくい。
カメラに、三脚を付けたままで手に持って撮影しにくかったり、三脚の底部に、滑り止め及び緩衝材がないので痛かった。
本発明は、以上のような欠点をなくすために考えたものである。
【課題を解決するための手段】
【０００５】  本発明に係るカメラ立設用スタンドは、カメラ（９）の底部に、一体的に取り付けられるカメラ台（２）と同軸的に設けられる旋回可能なスタンド（１）よりなり、前記カメラ台（２）の底部に配置されるスタンド（１）とともにカメラネジ（４）により、カメラ（９）の三脚穴（１０）に軸支され、前記スタンド（１）は、その撮影時には旋回してカメラ（９）の底部より外側に旋回されてカメラ（９）を立設し、その収納時には、先端側に設けた凸部（１２）をカメラ台（２）の長穴（１３）に挟着して装置されることを特徴とするものである。
さらに、前記カメラ台（２）は、その一端に筒型グリップ（３）を取り付けることを特徴とするものである。
【発明の効果】
【０００６】    本発明のカメラ立設用スタンドは、カメラに取り付けたままの状態でカメラケースに収納でき、軽量で携帯しやすい。【０００７】  載置撮影時には、使用時にカメラケースから出して瞬時に立設できる。
スタンド（１）は、カメラネジ（４）で軸支され、もう一方に凸部（１２）がカメラ台（２）の長穴（１３）に挟着さたのを折曲で外すのが瞬時にでき、立設のセッティングが容易にできる。
カメラ（９）の上下角度を変えるのに、スタンド（１）を旋回したり長穴（１１）のスライドで調整が瞬時に出来る。【０００８】  載置の時、カメラネジ（４）とネジ（５）のネジ頭とスタンド（１）の先端が接地するので、安定して置ける。また、スタンド（１）の旋回調整で地面の傾斜などに対応してバランスよく置ける。カメラネジ（４）とネジ（５）と比べ、スタンド（１）の先端が低いので自然に斜めに立設する。【０００９】  スタンド（１）は、軽量でシンプルな構造でカメラ台（２）と底部に収まり、撮影時の指あてとして使用が出来る。また、カメラネジ（４）以外にネジ（５）の底部にも取り付ける事が可能なので、カメラのサイズの違いや使用者の手のサイズの違いに対応する事が可能である。【００１０】  カメラ保持撮影時には、カメラ台（２）を長時間指や手で添えてると痛いので、スタンド（１）をカメラ台（２）の底部に収納して指あて使用出来る。なお、スタンド（１）の表面に滑り止め（１６）設置することで、カメラ（９）をしっかり支える事ができる。
また、スタンド（１）の一端には凸部（１２）が、カメラ台（２）の長穴（１３）で狭着で固定してるので動かない。【００１１】  カメラ保持撮影時には、筒型グリップ（３）の筒の中に指を挿入して保持撮影したり、把持したり出来る。
カメラのボタン操作や設置操作時には、手の甲を筒型グリップ（３）に添えて操作すると安定して操作出来る。
【図面の簡単な説明】
【００１２】  以下、添付図面に従って一実施例を説明する。
【図１】本発明の構成を示す分解斜面図である。
【図２】本発明の構成を示す斜面図である。
【図３】本発明の底面図である。
【図４】カメラ（９）を本発明に取り付けた背面図で、カメラ台（２）の底部にスタンドを収納した背面図である。
【図５】カメラ（９）を置いて撮影時に、カメラの前面の上下角度調整にスタンドを旋回する操作を示す斜面図である。
【図６】カメラ（９）を置いて撮影時に、カメラの背面の上下角度調整にスタンドを旋回する操作を示す斜面図である。
【図７】カメラ（９）を手で保持撮影時に、スタンド（１）をカメラ台（２）に収納して指あてとして使用し、筒型グリップの中に指を挿入して保持した背面図である。
【図８】本発明を収納ケースに収納した一部を切欠した平面図である。
【発明を実施するための形態】
【００１３】  以下、図面を参照して、本発明の実施の形態について説明する。
【００１４】  図１は、本発明に従う構成を示す分解斜面図である。また、図２は、カメラ（９）に取り付ける前の斜面図である。
【００１５】  カメラ立設用スタンドは、カメラ台（２）の底部にスタンド（１）をカメラネジ（４）で軸支し、カメラ（９）の三脚穴（１０）へ固定される。
【００１６】  スタンド（１）は、カメラネジ（４）で軸支され、もう一方に凸部（１２）がカメラ台（２）の長穴（１３）に挟着され、スタンド（１）を折曲によって凸部（１２）をカメラ台（２）から嵌脱できる。
スタンド（１）には、表面に滑り止め及び緩衝材を貼り付けたり設置することで出来る。
スタンド（１）の長穴（１１）は、カメラ台（２）を手や指で支持する時にスタンド（１）の位置をスライド調整することができる。
【００１７】  カメラ台（２）の長穴（１３）は、カメラの機種によって三脚穴（１０）の位置が異なるのに対応できるようにした。
【００１８】  パッド（６）（７）は、カメラを押止する為にカメラ台（２）の上面に設置される。
パッド（８）は、カメラの前後の揺れを抑える為に筒型グリップ（３）の側面に設置される。
【００１９】  ネジ（５）は、カメラ台（２）と筒型グリップ（３）の固定をする。
また、スタンド（１）を取り付けることやグリップ（３）の滑り止めの固定としても可能である。
【００２０】  筒型グリップ（２）は、上面に穴が設けられ、その中に指を挿入したりできる。
【００２１】  図３は、底面図である。図４は、カメラ（９）を取り付けた背面図である。
カメラ台（２）・カメラネジ（４）・ネジ（５）・スタンド（１）は、透明の樹脂素材を使用した時、取り付けたカメラの底部の配置が見やすく、三脚穴（１０）への着脱もやり易い。
【００２２】  図５のように、カメラ（９）を立設して小さい物の撮影時に、カメラレンズの角度を水平より低くする時には、スタンド（１）をカメラ（９）の前面に旋回する。
スタンド（１）の先端がカメラ台（２）に直角で遠い時は、カメラレンズが水平に近く、スタンド（１）の先端がカメラ台（２）に近い時は、カメラレンズはより低い角度の撮影ができる。
また、スタンド（１）の長穴（１３）のスライド調整でも、先端が動くことで角度調整できる。
【００２３】  図６のように、カメラ（９）を立設して小さい物の撮影時に、カメラレンズの角度を水平より高くする時には、スタンド（１）をカメラ（９）の背面に旋回する。
スタンド（１）の先端がカメラ台（２）に直角で遠い時は、カメラレンズが水平に近く、スタンド（１）の先端がカメラ台（２）に近い時は、カメラレンズはより高い角度の撮影ができる。
また、スタンド（１）の長穴（１１）のスライド調整でも、先端が動くことで角度調整できる。
【００２４】  図７は、カメラを手で保持撮影時に、スタンド（１）をカメラ台（２）に収納して指あてとして使用し、筒型グリップ（３）の中に指を挿入して保持した背面図である。
【００２５】  図８のように、カメラ立設用スタンドを、カメラ（９）に取り付けた状態でも著しい突起物がないのでカメラケース（１５）に収納可能である。
その時、筒型グリップ（３）はファスナー（１４）側が望ましい。
ファスナー（１４）を開けて、筒型グリップ（３）を把持や指で引っかけて引っ張り出しができる。
カメラ立設用スタンドをカメラ（９）に取り付けたままで収納した時の平面図である。
【符号の説明】
【００２６】      １  スタンド
２  カメラ台
３  筒型グリップ
４  カメラネジ
５  ネジ
６  パッド
７  パッド
８  パッド
９  カメラ
１０  三脚穴
１１  長穴
１２  凸部
１３  長穴
１４  ファスナー
１５  カメラケース
１６  滑り止め
【図１】
2014142569.tif 000003
【図２】
2014142569.tif 000004
【図３】
2014142569.tif 000005
【図４】
2014142569.tif 000006
【図５】
2014142569.tif 000007
【図６】
2014142569.tif 000008
【図７】
2014142569.tif 000009
【図８】
2014142569.tif 000010